(57)【特許請求の範囲】
【請求項１】
読み取られた画像情報を静電潜像担持体に書き込むためにオーバーフィールド出射方式を用いるレーザ光走査装置において、
ポリゴンミラーを通過したレーザ光を感光体ドラムに導くための反射部材が、前面押さえ部材と後面支持部材とによって姿勢調整自在な挟持状態に支持され、
前記前面押さえ部材は、弾発力を有する板部材から構成されるとともに前記反射部材におけるレーザ光の走査方向の両端部の反射面側に当接するように配置され、かつ、その表面に黒着色のフィルムが貼付された第１及び第２の前面押さえ部材であり、
第１及び第２の前面押さえ部材は、各先端部を前記反射部材の有効反射域の両端位置に一致させて配置したことを特徴とする光走査装置。
【請求項２】
前記反射部材が、光走査装置における出射折返し部材として用いられることを特徴とする請求項１に記載の光走査装置。
【請求項３】
請求項１または２に記載の光走査装置を備えたことを特徴とする画像形成装置。
【発明の詳細な説明】
【０００１】
【発明の属する技術分野】
この発明は、レーザービームプリンター、デジタル複写機、ファクシミリ等の画像記録装置等の内部に備えられ、画像情報に応じてレーザービームで被走査体上を走査する光走査装置に係り、より詳しくは、該光走査装置の光学部品の支持機構の改良に関する。
【０００２】
【従来の技術】
入力される画像情報に対応してレーザー光で被走査体（感光体ドラム）上を走査する光走査装置を具備した画像形成装置には、レーザー光を反射するためのミラーなどの反射部材が設けられるが、その支持機構は、例えば、特開平９−１８４９６３号公報、特開平１１−２２３７８７号公報等に記載されているように、反射部材の姿勢を微調整できるように構成されている。
【０００３】
これらの公報に記載の支持機構では、反射部材の非反射面側（反射面の反対側）に板バネ等の付勢部材を配置すると共に、反射面側に雄ねじ等の調整部材を設け、その両部材間に挟み付けた反射部材の姿勢を、その調整部材を操作することによって、調整できるようにしている。
【０００４】
【発明が解決しようとする課題】
ところで、特開平９−１８４９６３号公報に記載の場合、反射部材（２６）の姿勢調整は、光走査装置の内部側からしかおこなうことができない。そのため、調整に際しては、光走査装置の本体フレーム（３０）にねじ（５２）によって固定されている光学箱（ケーシング）（５０）を取り外す必要があり、その作業が大変面倒であった。
【０００５】
また、特開平１１−２２３７８７号公報の場合では、光走査装置の上面又は側面からしか調整できない構造なので、光走査装置を画像形成装置の本体に取り付けたままの状態では、反射部材（２４）の姿勢を調整するのは困難であった。
【０００６】
これらの調整上の問題点を解消するために、例えば、図１２及び図１３に示すように、反射部材３０１の非反射面側（反射面の背面側）の両側部に調整部材３０２，３０２を配置し、その反射面側の両側部に板バネ等の付勢部材からなる前面押さえ部材３０３，３０４を配置し、光走査装置の側面側からの調整を可能とした構成が考えられる。
【０００７】
より詳しくは、フレーム３０５の両側に支持部材３０６，３０６を固定状態に立設し、その支持部材３０６，３０６に、調整部材３０２，３０２、前面押さえ部材３０３，３０４、上部押さえ部材（付勢部材）３０７，３０７を取り付け、かつ、フレーム３０５の両側部に、反射部材３０１を摺動可能な状態に支持するための半球状の下部支持部材３０８，３０８を設ける。
【０００８】
このような構成により、反射部材５１の下部両側を、下部支持部材３０８，３０８に点接触状態（摺動可能な状態）に支持させると共に、上述のように、反射部材３０１の両側部を調整部材３０２，３０２と前面押さえ部材３０３，３０４によって挟持させ、かつ、反射部材３０１の上部両側部を上部押さえ部材（付勢部材）３０７，３０７によって下向きの付勢状態に押さえ付ける。
【０００９】
その調整部材５２は、図示を省略するが、例えば、反射部材３０１の背面側に螺進退自在に当接する一対のネジを上下方向に配設してなり、そのネジを調整することにより、半球状の下部支持部材３０８，３０８上に摺動可能な状態で支持されている反射部材３０１の姿勢を適宜に調整できるようにする。
【００１０】
しかし、このような構成では、反射部材３０１の前面の両側部を前面押さえ部材３０３，３０４によって押さえ付けられるため、反射部材５１の反射面側の両端部に比較的大きな（広い面積の）押さえ代を必要とする。
【００１１】
従って、このような支持機構を、光走査装置の光ビーム折返し部材などに用いた場合には、反射部材３０１の有効反射面（反射部材３０１の反射面のうちの実際に反射に使用する領域）と前面押さえ部材３０３，３０４とが近接していると、照射される光ビームが前面押さえ部材３０３，３０４の表面で反射して迷光となり、鮮明な画像が得られなくなるという問題がある。
【００１２】
そこで、このような問題を解決するために、図示のように、前面押さえ部材３０３，３０４を、反射部材３０１の有効反射域（ＥＬ）の両側から所定の距離（Ｌ）だけ離間した位置に設けると、反射部材３０１の長さが、その分（２Ｌ）だけ余分に必要とされ、装置の大型化を招くという別の問題が発生する。
【００１３】
本発明は、このような実情に鑑みてなされ、照射される光ビームの前面押さえ部材による迷光の発生を防止できる（有効反射域より反射部材を長くすることなく）コンパクトな光走査装置を提供することを目的とする。
【００１４】
【課題を解決するための手段】
本発明は、上述の課題を解決するための手段を以下のように構成している。
【００１５】
（１）  読み取られた画像情報を静電潜像担持体に書き込むためにオーバーフィールド出射方式を用いるレーザ光走査装置において、
ポリゴンミラーを通過したレーザ光を感光体ドラムに導くための反射部材が、前面押さえ部材と後面支持部材とによって姿勢調整自在な挟持状態に支持され、
前記前面押さえ部材は、弾発力を有する板部材から構成されるとともに前記反射部材におけるレーザ光の走査方向の両端部の反射面側に当接するように配置され、かつ、その表面に黒着色のフィルムが貼付された第１及び第２の前面押さえ部材であり、
第１及び第２の前面押さえ部材は、各先端部を前記反射部材の有効反射域の両端位置に一致させて配置したことを特徴とする。
【００１９】
（２）前記反射部材が、光走査装置における出射折返し部材として用いられることを特徴とする。
この構成によれば、反射部材を光走査装置における出射折返し部材として用いるので、光走査装置の出射折返し部材の小型化を図ることができると共に、その出射折返し部材の姿勢調整が側面側から容易におこなうことができる。
【００２０】
（３）請求項１または請求項２のいずれかに記載の光走査装置を備えたことを特徴とする。
【００２１】
この構成によれば、画像形成装置内で、感光体ドラムに迷光の影響によるゴースト等の画像不良が生じなくなると共に、画像形成装置の光走査装置の収容部や姿勢調整のための空間を上下方向に設ける必要がなく、画像形成装置のコンパクト化が可能となる。
【００２２】
【発明の実施の形態】
以下に、本発明の実施形態に係る光走査装置及び画像形成装置について図面を参照しつつ詳細に説明する。
【００２３】
図１は画像形成システムの構成図、図２は要部構成図、図３は光走査装置の構成を示す斜視図、図４は光走査装置の主要光学部品の配置及び光ビームの光路を示す斜視図、図５は光路の説明図である。
【００２４】
（画像形成システム）
図１は、本発明に係る光走査装置を用いた画像形成システムの一例を示す断面構成図で、同図に示すように、本画像形成システムは、原稿読取部１、印刷部２、用紙供給部３および用紙後処理部４とからなる。
【００２５】
まず、読み取るべき原稿があるときは、原稿読取部１の自動原稿搬送装置５の原稿セットトレイ６に原稿をセットして順次原稿をスキャナ７のプラテンガラス８上に搬送してスキャナ７によって原稿画像データを読み取る。読み取られた原稿は、原稿排出トレイ９に排出される。
【００２６】
印刷部２としてのプリンタ１１は、原稿読取部１で読み取られた原稿画像データ或いは外部機器（例えば、パソコンやＦＡＸ）から回線を介して送られた画像データに基づいて図２に示す光走査装置２２からレーザ光を発光し、その光を走査光学系によって被走査体としての感光体（感光体ドラム）２００上に走査して、感光体２００上に静電潜像を形成する。
【００２７】
感光体２００上に形成された静電潜像は現像ユニット１６からトナーの供給を受けて現像され、その後用紙供給部３の多段給紙ユニット１７から用紙が供給されて、従来の電子写真現像プロセスにより、感光体２００上の画像が用紙上に転写されて、画像データの顕像化が行われ、定着装置１８によって画像が用紙に定着され印刷が終了する。
【００２８】
その用紙供給部３の多段給紙ユニット１７には複数種類の用紙が収納されており、ユーザの選択した用紙が収容されているトレイ１７１─に対応する用紙搬送機構１７１ａ─を作動させて用紙を印字部２へ搬送するようになっている。
【００２９】
上述のように、印刷部２で印刷された用紙は用紙後処理部４のシート後処理装置１９に搬送され、ステープル処理、ソート処理等が行われる。以上の作業により、本画像形成システムの一連の画像形成作業が終了する。
【００３０】
（光走査装置）
次いで、図３〜図５により、光走査装置２２について詳細に説明する。
前記光走査装置２２は、ビーム出射手段としての半導体レーザー１１２から回転方向に複数の反射面ｌ２０ａを有した回転多面鏡１２０に向かって照射される光ビーム１０３（以後、入射ビーム１０３という）を、回転多面鏡１２０の反射面１２０ａで反射して形成した光ビーム１０４（以後、出射ビーム１０４という）により、被走査体である感光体２００を走査する装置である。
【００３１】
半導体レーザー１１２から回転多面鏡１２０までの光路（以後、入射ビーム光路という）と、回転多面鏡１２０から感光体２００までの光路（以後、出射ビーム光路という）には、種々の光学部品が配置されている。いま、入射ビーム光路に配置されている光学部品を入射光学系１０１と呼び、出射ビーム光路に配置されている光学部品を出射光学系１０２と呼ぶことし、これらが筐体２２１に組み込まれている。
【００３２】
入射光学系１０１は、半導体レーザー１１２から射出された入射ビーム１０３を回転多面鏡１２０に導くと共に、入射ビーム１０３の断面形状が回転多面鏡１２０の反射面ｌ２０ａの幅よりも広い幅の矩形状となるように、入射ビーム１０３を成形する。
【００３３】
入射ビーム光路の半導体レーザー１１２から回転多面鏡１２０に向かう順に、射出された光ビームを平行ビームに変換するコリメータレンズ１１３、入射された光ビームを走査方向に拡大する凹レンズ１１４、略中央部に矩形状の開口１１５ａが設けられた板状部材により構成された開口板１１５、シリンドリカルレンズ１１６、折返し手段としての入射折返しミラー１１７及びｆθレンズ１２３が順に配設されている。なお、前記半導体レーザー１１２、コリメータレンズ１１３、凹レンズ１１４及び開口板１１５によって、ビームユニット１１１を構成している。
【００３４】
次いで、出射光学系１０２は、回転多面鏡１２０の反射面１２０ａにより反射された出射ビーム１０４を回転多面鏡１２０から感光体２００に導くと共に、入射ビーム１０３が感光体２００上を照射した際のビームスボット１０８が、所定の大きさとなり、感光体２００上を等速度で走査するように作用する。出射ビーム光路の回転多面鏡１２０から感光体２００に向かう順に、収束レンズとしてレンズ１２１及びレンズ１２２のｌ対のレンズで構成されたｆθレンズ１２３、折返し手段としての出射折返しミラー（反射部材）１２４及び回転多面鏡１２０の面倒れ補正を行なうシリンドリカルミラー１２５が配設されている。
【００３５】
入射ビーム１０３は、入射折返しミラー１１７により進行方向を変えられて、ｆθレンズ１２３の端部に、斜め下方から上方に向かって通過し、回転多面鏡１２０の反射面１２０ａの高さ方向中央域に照射される。
【００３６】
出射ビーム１０４は、ｆθレンズ１２３に斜め下方から上方に向かって通過し、出射折返しミラー１２４とシリンドリカルミラー１２５を介して、感光体２００に導かれる。出射ビーム１０４は、回転多面鏡１２０の反射面１２０ａの回転方向の位置により、異なる光路を通って感光体２００に至る。
【００３７】
いま、出射ビーム１０４のうちで、感光体２００の画像形成に使用される幅、すなわち、主走査ライン１０７を走査するために出射ビーム１０４（以後、この出射ビームを主走査ビーム１０５という）が走査される際に通過する空間領域を主走査ビーム域と呼ぶことにする。
【００３８】
出射ビーム１０４が感光体２００を走査する仕方は、出射ビーム１０４は主走査ライン１０７を定期的に走査する一方で、感光体２００が回転するので、感光体２００上は一定期間毎に異なる場所を走査することになる。
【００３９】
また、前記出射ビーム１０４が感光体２００を走査する毎に、主走査ライン１０７の書き始め点ｌ０７ａが同一となるように、各走査毎に同期させるための同期検出装置１２９が設けられている。
【００４０】
前記同期検出装置１２９には、同期をとるための信号として、主走査ビーム域以外の出射ビーム１０４（以後、同期検出ビーム１０６という）を検出するための同期検出センサ１２７が設けられている。
【００４１】
前記同期検出センサ１２７は、同期検出ビーム１０６が、ｆθレンズ１２３を通過した後に、前記出射光学系１０２の出射折返しミラー１２４の端部１２４ａにより折り返され、さらに、同期ビーム折返し手段としての折返しミラー１２６により折り返された同期ビームを検出するようになっている。
【００４２】
図５は、入射ビーム１０３及び出射ビーム１０４の光軸（ビームの中心）を直線上に展開して表した場合の図３及び図４に示した入射光学系と出射光学系の作用を示す図である。図５（ａ）は、出射ビーム１０４の光軸が走査の際に形成する平面（以後、走査平面という）に垂直な方向から見た平面図であり、図５（ｂ）は、走査平面に平行な方向から見た側面図である。
【００４３】
尚、出射ビーム１０４は、回転多面鏡１２０の反射面１２０ａの回転方向の位置により反射方向が異なるので、その光軸も反射面ｌ２０ａの回転に伴って変わるが、本図中の出射ビーム１０４の光軸は、ｆθレンズ１２３の中央を通って感光体２００の主走査ライン１０７のセンターに至る主走査ビーム１０５の光軸を表現している。
【００４４】
図５（ａ）及び図５（ｂ）に示すように、半導体レーザー１１２から略円錐状に出射された入射ビーム１０３は、コリメータレンズ１１３により平行ビームに変換される（平行ビームとなった入射ビーム１０３の光軸に垂直な方向の断面は、略円形である）。この後、入射ビーム１０３は、凹レンズ１１４を通過し、凹レンズ１１４によって拡散されて、光軸に垂直な方向の断面が略円形状の拡散ビームになる。次に、凹レンズ１１４を通過した入射ビーム１０３は、開口板１１５に設けた開口ｌｌ５ａを通過し、光軸に垂直な方向の断面が矩形状の拡散ビームになる。
【００４５】
この後、入射ビーム１０３は、シリンドリカルレンズ１１６に入射する。シリンドリカルレンズ１１６により、図５（ａ）のように、入射ビーム１０３のシリンドリカルレンズ１１６の母線に平行な方向は、そのまま拡散を続け、入射ビーム１０３のシリンドリカルレンズ１１６の母線に垂直な方向は、収束するように変えられる。
【００４６】
その後、図５（ａ）のように、入射ビーム１０３は、ｆθレンズ１２３の端部を通過して、ｆθレンズ１２３により走査平面に平行なビームとされて回転多面鏡１２０の反射面ｌ２０ａに、走査平面に平行なビームとして入射する。
【００４７】
また、図５（ｂ）のように、入射ビーム１０３は、ｆθンズ１２３に斜め下方から斜め上方に向かって入射して、回転多面鏡１２０の反射面１２０ａに、収束ビームのままで入射する。入射ビーム１０３が収束する収束線は、回転多面鏡１２０の反射面１２０ａの高さ方向中央の近傍となる。
【００４８】
入射ビーム１０３は、その光軸に垂直な形状が、回転多面鏡１２０の反射面ｌ２０ａの回転方向の幅よりも大きく、細長い矩形状に成形されたビームとなっており、反射面１２０ａの１つが回転するにつれて、入射ビーム１０３の異なる部分を反射して、異なる方向に向かう出射ビーム１０４を形成する。
【００４９】
前記回転多面鏡１２０の反射面ｌ２０ａにより反射されて形成された出射ビーム１０４は、走査平面に平行な方向では平行ビームのままで、走査面に垂直な方向では収束線を通過後に拡散ビームとなって、ｆθレンズ１２３に向かう。出射ビーム１０４は、斜め下方から斜め上方に向かってｆθレンズ１２３を通過し、走査面に平行な方向では、感光体２００表面で収束するように収束ビームとされ、走査面に垂直な方向では、拡散ビームのままである。
【００５０】
その後、出射ビーム１０４の内の主走査ビームにあたるビームは、出射折返しミラー１２４により折り返されて、シリンドリカルミラー１２５に反射されて、感光体２００に向かう。シリンドリカルミラー１２５により反射後の入射ビーム１０４は、走査面に平行な方向では、収束ビームのままであり、走査面に垂直な方向では、感光体２００上で収束するような収束ビームに変えられる。
【００５１】
以上のようにして、出射ビーム１０４は、感光体２００上に、所定の大きさのビームスボット１０８を結ぶことになる。
【００５２】
尚、ｆθレンズ１２３は、上述した役割の他に、回転多面鏡１２０の等角速度運動により等角速度で移動する出射ビーム１０４が、感光体２００上に照射された際に、ビームスボット１０８が主走査ライン上で等線速度で移動するように変換する役割も担っている。
【００５３】
（オーバーフィールド出射光学系）
ところで、レーザビームを用いて感光体等の静電潜像担持体に画像情報を書き込む手法として、従来はアンダーフィールド出射光学系と呼ばれる方法が多く用いられていた。しかし、近年、光学系のコンパクト化並びに光学系内のポリゴンミラーの回転負荷の低減化を目的として、オーバーフィールド出射光学系と呼ばれる方法が開発された。
【００５４】
そのオーバーフィールド出射光学系は、従来のアンダーフィールド出射光学系とは、大きく異なる。すなわち、光学系の内で高速回転しているポリゴンミラーへの画像情報の照射（以降は入射光学系と呼ぶ）を行う時の照射光（平行光）のポリゴンミラーへの照射領域が、アンダーフィールド出射光学系では特定された領域（１つの面に相当する）に照射されるのに対し、オーバーフィールド出射光学系では前記領域（１つの面に相当する）以外の隣接する面にも照射する照射幅を有している点が相違する。
【００５５】
このことから、オーバーフィールド出射光学系を用いた時に前記特定された領域（１つの面に相当する）からの出射光が結像する前記静電潜像担持体上に前記ポリゴンミラーの隣接する面からの不要画像情報がノイズとして含まれる虞がある。
【００５６】
そのため、本実施形態では、前記ノイズを除去するために光学系の迷光対策を万全にすることで、オーバーフィールド出射光学系の実使用上の問題点を解決し、光走査装置中のポリゴンミラー１２０のコンパクト化、高速化、および精度の向上（ポリゴンミラー１２０の面精度の向上）を図るようにしている。
【００５７】
（反射部材の支持構造）
次いで、そのような迷光対策（迷光防止処置）が施された出射折返ミラー１２４の支持構造について説明する。
図６乃至図９に示すように、出射折返ミラー（以下、単にミラーという）１２４の下部を支持するための半球状の下部支持部材２２１が、光走査装置２２のフレーム２２２上に設けられている。その下部支持部材２２１は、ミラー１２４の下部と点接触し、後述するように、ミラー１２４の角度を微調整するとき、ミラー１２４の下面が、その下部支持部材２２１の表面上で摺動するようになっている。
【００５８】
しかして、その下部支持部材２２１の半球状の上面に、ミラー１２４を垂直状に載置し、該ミラー１２４の両端部の上面が、フレーム２２２の両側に固定状態に立設した支持部材２２３，２２３の上部に取り付けた上部押さえ部材２２４，２２４によって下方に向けて弾発的に付勢された状態でミラー１２４が支持される。
【００５９】
その上部押さえ部材２２４は、薄い金属板などから形成され、図示のように、その先端をやや下方に向けて折曲させ、これにより、ミラー１２４に対して常時下向きの付勢力を作用させるようになっている。
【００６０】
さらに、ミラー１２４の背面（反射面でない側）には、図７に示すように、後面支持部材２２５，２２６が、フレーム２２２に立設した支持部材２２３，２２３に固定して設けられている。
【００６１】
すなわち、ミラー１２４の一端側（図の右側）に対応する後面支持部材２２５には、支点部材２２７および第１調整部材（ねじ）２２８が設けられ、また、ミラー１２４の他端側（図の左側）に対応する後面支持部材２２６には、第２調整部材（ねじ）２２９が設けられ、ミラー１２４の背面は、支点部材２２７、第１調整部材２２８及び第２調整部材２２９によって、３点で支持される。
【００６２】
一方、ミラー１２４の前面（反射面側）には、図６に示すように、（背面側の支持（３点支持）に対応して、）ミラー１２４の両端部を背面側に向けて付勢（押圧）するための前面押さえ部材２３０，２３１が設けられている。すなわち、ミラー１２４の一端側（図６において左側）は、その背面側の支点部材２２７と第１調整部材２２８と、横向きに略Ｕ字状に形成された弾発力のある板部材からなる前面側の第１の前面押さえ部材２３０によって挟持され、他端側（図６において右側）は、その背面側の第２調整部材２２９と、前面側の弾発力のある板部材からなる第２の前面押さえ部材２３１によって挟持されている。
【００６３】
前記第１及び第２調整部材２２８，２２９は、ねじ（螺子）からなり、前面押さえ部材２３０，２３１の付勢力に対応して、該ねじを螺進退操作することによって、ミラー１２４の角度を微調整することができるようになっている。
【００６４】
すなわち、ミラー１２４の前面を支持する第１および第２の前面押さえ部材２３０，２３１と、ミラー１２４の背面を支持する支点部材２２７、第１調整部材２２８及び第２調整部材２２９とによって３点で支持された状態にて、前記第１調整部材２２８のねじを螺進退操作すると、ミラー１２４は、図１０に示すように、支点部材２２７の先端部を支点（Ａ）として、ミラー１２４の垂直方向における角度（α）を微調整することができる。
【００６５】
また、前記第２の調整部材２２９のねじを螺進退操作すると、ミラー１２４は、図１１に示すように、支点部材２２７の先端部と第１調整部材２２８の先端剖を支点（Ｂ）として、ミラー１２４の長手方向における角度（β）を微調整することができる。
【００６６】
そこで、本実施形態では、ｆθレンズ１２３（１２１＋１２２）を通過して、ミラー１２４に、副走査方向に拡げられるように照射される光ビームが、該ミラー１２４の反射面側に設けられた第１及び第２の前面押さえ部材２３０，２３１によって反射され、それによって迷光が生じないようにしている。
【００６７】
すなわち、前記第１および第２の前面押さえ部材２３０，２３１の表面を、図６に示すように、光を吸収しやすい黒色の塗装を施したり、あるいは、黒着色のフィルムなどを貼り付けたりすることにより、照射される光ビームの第１および第２の前面押さえ部材２３０，２３１の表面での迷光の発生を効果的に防止することができる。
【００６８】
これにより、第１および第２の前面押さえ部材２３０，２３１の先端部をミラー１２４の有効反射域ＥＬに近接した位置（すなわち、従来例を示す図１２及び図１３において、Ｌ＝０）に配置しても画像へ支障を来たすことがなく、したがって、従来のように、ミラー１２４を長くする必要がなく、光走査装置２２の小型化を達成することができる。
【００６９】
【発明の効果】
以上の説明で明らかなように、本発明は以下の効果を奏する。
【００７０】
請求項１によれば、反射部材の前面側を支持する前面押さえ部材の表面に、迷光防止措置を施しているので、前面押さえ部材を反射部材の有効反射域に近接させて設けることができる。従って、従来のように反射部材を余分に長くする必要がなく、光走査装置の小型化を図ることができると共に、被走査体上に迷光が投影して光走査した被走査体上の情報が攪乱されるような弊害を防止することができ、画像品位の向上を図ることもできる。
また、迷光防止措置として、黒色の塗装を施すので、前面押さえ部材を、簡単な表面処理によって迷光を防止できる。
【００７２】
請求項２によれば、反射部材を光走査装置における出射折返し部材として用いるので、光走査装置の出射折返し部材の小型化を図ることができると共に、その出射折返し部材の姿勢調整が側面側から容易におこなうことができる。
【００７３】
請求項３によれば、画像形成装置内で、感光体ドラムに迷光の影響によるゴースト等の画像不良が生じなくなると共に、画像形成装置の光走査装置の収容部や姿勢調整のための空間を上下方向に設ける必要がなく、画像形成装置のコンパクト化が可能となる。
【図面の簡単な説明】
【図１】本発明の実施形態に係る画像形成システムの構成図である。
【図２】同要部構成図である。
【図３】同光走査装置の構成を示す斜視図である。
【図４】同部品配置と光路を示す斜視図である。
【図５】同光路の説明図である。
【図６】同反射部材の支持構造を示す正面図である。
【図７】同背面図である。
【図８】同平面図である。
【図９】同底面相当図である。
【図１０】同反射部材の姿勢調整の説明図である。
【図１１】同別の説明図である。
【図１２】従来の反射部材の支持構造を示す正面図である。
【図１３】同平面図である。
【符号の説明】
２２−光走査装置
１２４−反射部材
２２５，２２６−後面支持部材
２３０，２３１−前面押さえ部材
【図１】
0003789770.tif 000002
【図２】
0003789770.tif 000003
【図３】
0003789770.tif 000004
【図４】
0003789770.tif 000005
【図５】
0003789770.tif 000006
【図６】
0003789770.tif 000007
【図７】
0003789770.tif 000008
【図８】
0003789770.tif 000009
【図９】
0003789770.tif 000010
【図１０】
0003789770.tif 000011
【図１１】
0003789770.tif 000012
【図１２】
0003789770.tif 000013
【図１３】
0003789770.tif 000014